(57)【要約】【課題】回動により開閉する蓋に朱肉皿を設けた印鑑ホルダーに於いて、蓋から朱肉皿が容易に着脱可能で、かつ、蓋が衝撃的に戻っても蓋から朱肉皿が不用意に外れる問題がない。【解決手段】印鑑を保持する内筒を中筒の内部に上下動自在に収納すると共に、中筒の外部に外筒を内筒と連動するように設け、蓋の後方部を中筒の側面に軸支して、外筒及び内筒の上下動に連動させて蓋を中筒の側面に開口した窓孔から出没するように回動可能となし、その蓋の内面部に朱肉を保持した朱肉皿を設けて、内筒の上動状態で内筒に装着した印鑑の印面と対向して印面を遮蔽するとともに、下動状態で印面の下方を開放して中筒の下端開口から印面を突出可能とする印鑑ホルダーに於いて、蓋の回動方向と略直角方向で、蓋の内面部に朱肉皿を着脱自在に固定してなる。【選択図】          図１
2004330540.tif 000002
【特許請求の範囲】
【請求項１】
印鑑を保持する内筒を中筒の内部に上下動自在に収納すると共に、中筒の外部に外筒を内筒と連動するように設け、蓋の後方部を中筒の側面に軸支して、外筒及び内筒の上下動に連動させて蓋を中筒の側面に開口した窓孔から出没するように回動可能となし、その蓋の内面部に朱肉を保持した朱肉皿を設けて、内筒の上動状態で内筒に装着した印鑑の印面と対向して印面を遮蔽するとともに、下動状態で印面の下方を開放して中筒の下端開口から印面を突出可能とする印鑑ホルダーに於いて、
蓋の回動方向と略直角方向で、蓋の内面部に朱肉皿を着脱自在に固定したことを特徴とする印鑑ホルダー。
【請求項２】
蓋は、後方部に中筒の側面に軸支する軸支部と、その前方に中筒の窓孔に挿入可能となる上板部と、その上板部の下方に窓孔に没入すると共に前後方向に対し略直角方向で凸状または凹状を成した嵌着部とが、それぞれ形成されてなり、また、朱肉皿は、上方に前記蓋の嵌着部に嵌着する凸状または凹状の嵌着部と、その嵌着部の下方に朱肉を保持する収納部とが、前記窓孔に没入可能でそれぞれ形成されてなる請求項１に記載の印鑑ホルダー。
【発明の詳細な説明】
【０００１】
【発明の属する技術分野】
本発明は、未使用時に印鑑の印面を遮蔽し、使用時には回動して印面を露出して捺印を可能とする朱肉パット付きの蓋を備えた印鑑ホルダーの改良に関する。
【０００２】
【従来の技術】
【特許文献１】実開平６−１２０５６
【特許文献２】実開平６−１２０５９
【特許文献３】特開平１０−２７８４０１
【特許文献４】特開平１０−２５０２０７
従来の印鑑ケースに収納した印鑑は、使用する際にケースから取り出して朱肉に印面を接触させていた。そのため、頻繁に使用する場合は、使用する度にその作業を繰り返す必要があるので極めて煩わしいという不満があった。
そこで、このような不満を解消するために、印鑑を使用する度にケースから取り出して朱肉に印面を接触させる面倒のない印鑑ホルダーが考案された。
（特許文献１及び特許文献２）
これらの印鑑ホルダーは、一般的に、ケース内に印鑑を上下方向に移動可能に保持し、又、保持した印鑑の下方に回転運動により開閉する蓋を配して、その蓋に印面が接触する朱肉を保持させた構造になっている。
【０００３】
ところで、このような印鑑ホルダーに具えられた蓋は、構造上の制約があってコンパクトにする必要があるので、その蓋が保持する朱肉のインク吸蔵量が少なく、捺印回数が５００回程度になったところでインクを補充する必要があった。
しかしながら、朱肉は蓋が閉じているときは印鑑の印面と対面しており、蓋が開いたときはケースの側面と対面しているので、朱肉に対しインクを補充しにくいという問題があった。また、補充する適正な量が判りにくく、過剰にインクを充填してインクが溢れ、手や衣服がインクで汚れるという問題もあった。
【０００４】
そこで、その蓋の内面部に、朱肉皿を脱着自在に取付けたものが提案されている。（特許文献３及び特許文献４）
特許文献３についての構成は、特許文献３の段落００１４に下記のように説明されている。
蓋４の内面部に取付ける朱肉皿１６は、図５に示すように、側面から脚片部１７を介して少し離れた位置に取付板部１８を一体的に形成するとともに、その取付板部１８に外側へ少し屈曲して弾性変形可能な係止片１９を一体的に設けている。一方、蓋４の内面部には、朱肉皿１６の取付板部１８が脱着自在な嵌着部２０を設けている。この嵌着部２０は取付板部１８の両端突出縁２１をその内側に差し込んで掛止可能な左右一対のフック状の側板２２よって構成されている。
また、蓋４には、その側板２２の内側に朱肉皿１６の取付板部１８を差し込んだときに、係止片１９が嵌入してその内縁に係合する係止孔２３を設けるとともに、その係止孔２３の外側を覆う位置に、少し外側へ屈曲して蓋４の外へ僅かに突出した弾性変形可能な押ボタン部２４を一体的に設けている。朱肉皿１６は上記のように取付板部１８を嵌着部２０に差し込んで、かつ、係止片１９を係止孔２３に嵌入して係合させることにより固定される。朱肉皿１６を蓋４から取り外すには、押ボタン部２４を内側へ押して係止片１９に接触させ、その係止片１９を更に押して内側へ変形させることにより係止孔２３から脱出させた状態で、取付板部１８を嵌着部２０、すなわち側板２２の内側から抜き取ればよい。なお、朱肉皿１６の取り外し及び取り付けは、図３及び図４に示すように蓋４を開いた状態で行なう。
すなわち、朱肉皿１６は取付板部１８が嵌着部２０に差し込まれ、かつ、着脱容易に係止固定されている。捺印後、蓋４はコイルバネ１１の復元力によってかなり衝撃的に戻り、その衝撃によって係止部位が変形を受ける。朱肉皿１６は蓋４の回動に対してその遠心方向に係止固定されているために、係止が十分でない場合に前記衝撃によって朱肉皿が外れやすく周囲を汚損する問題がある。特に、大量の書類等に連続捺印する場合などに問題が頻発しやすい。また、逆に係止が強すぎると朱肉皿の交換が困難となる問題がある。尚、朱肉皿が蓋の回動に対する遠心方向でない方向に係止固定された場合でも、係止部位が華奢（肉薄で剛性不足）な場合に外れる問題がある。
【０００５】
特許文献４についての構成は、特許文献４の段落００２２に下記のように説明されている。
次に、上記中間ケース１２には、朱肉３６を保持する朱肉ホルダ３５が取り付けられている。図４は図１の印鑑ケース１０に採用されている朱肉ホルダ３５の分解斜視図である。同図を参照して、この朱肉ホルダ３５は、朱肉３６を保持する朱肉皿３７と朱肉皿３７を着脱可能に保持する本体保持部３８とを有するセパレート型であり、これによって朱肉皿３７に保持された朱肉３６のメンテナンスを容易ならしめている。図において、３９は、朱肉皿３７の筒部上端に設けた係止用突起、４０は係止用突起３９を着脱可能に係止させるための係止孔である。
すなわち、特許文献３の場合と同様に係止が十分でない場合に衝撃によって朱肉皿が外れやすく周囲を汚損する問題がある。
【０００６】
【発明が解決しようとする課題】
本発明は、回動により開閉する蓋に朱肉皿を着脱可能に備えた印鑑ホルダーに於いて、蓋から朱肉皿を容易に外して、その朱肉皿に保持された朱肉にインクの補充を容易にし、かつ、蓋が衝撃的に戻っても蓋から朱肉皿が不用意に外れる問題が防止され、インクが飛散したりして手や書面や衣服などが汚れないようにすることを課題とする。
【０００７】
【課題を解決するための手段】
本発明は、上記課題を達成する為に以下の構成を有する。
請求項１に記載の発明に係る印鑑ホルダーは、印鑑を保持する内筒を中筒の内部に上下動自在に収納すると共に、中筒の外部に外筒を内筒と連動するように設け、蓋の後方部を中筒の側面に軸支して、外筒及び内筒の上下動に連動させて蓋を中筒の側面に開口した窓孔から出没するように回動可能となし、その蓋の内面部に朱肉を保持した朱肉皿を設けて、内筒の上動状態で内筒に装着した印鑑の印面と対向して印面を遮蔽するとともに、下動状態で印面の下方を開放して中筒の下端開口から印面を突出可能とする印鑑ホルダーに於いて、蓋の回動方向と略直角方向で、蓋の内面部に朱肉皿を着脱自在に固定したことを特徴とする。
【０００８】
請求項２に記載の発明に係る印鑑ホルダーは、請求項１に記載の印鑑ホルダーに於いて、蓋は、後方部に中筒の側面に軸支する軸支部と、その前方に中筒の窓孔に挿入可能となる上板部と、その上板部の下方に窓孔に没入すると共に前後方向に対し略直角方向で凸状または凹状を成した嵌着部とが、それぞれ形成されてなり、また、朱肉皿は、上方に前記蓋の嵌着部に嵌着する凸状または凹状の嵌着部と、その嵌着部の下方に朱肉を保持する収納部とが、前記窓孔に没入可能でそれぞれ形成されてなる。
【０００９】
【実施例】
以下、本発明の実施例を図面に基づき説明する。まず図１に於いて、外筒１は中筒２の上部外周を覆って、中筒２に対し上下動自在になっている。また、中筒２は下端を開口して、下端近傍の側面に窓孔２ａが穿設されている。この窓孔２ａは蓋３によって開閉自在となっていて、その蓋３は中筒２の側面部に回動自在に取付けられている。なお、外筒１の下端側面部には、外筒１が下動したときに蓋３の逃げ場所となる切欠部１ａが設けられている。
【００１０】
また、外筒１の上端部に調節ネジ８が取付けられると共に、外筒１の内部に内筒２が収容されて、その内筒４の上端部が調節ネジ８に係止されている。また、調節ネジ８の内部に可動コマ９が螺着状態で収容され、その可動コマ９は内筒４の内部にその下端部を貫通させている。尚、内筒４に対する可動コマ９の貫通部は断面が多角形で、内筒４に対し可動コマ９は回転不能となるように設けられている。したがって、調節ネジ８を回転させると可動コマ９はネジ送りされて上下動する。尚、内筒４に対する可動コマ９の回転止めは前記多角形形状に限定されないものである。
【００１１】
印鑑１０は、その印面１０ａを下向きにして内筒４の内部に挿入され、内筒４の内部に取付けた板バネ状のカツラ１２に挟まれて固定されている。また、印鑑１０の上端には可動コマ９の下端が当接されており、調節ネジ８を一方へ回転させると可動コマ９が下動して印鑑１０を押して下動させることが可能となり、印鑑１０の印面の位置を調整することができる。
【００１２】
内筒４の下半部は中筒２の内部に挿入されており、内筒４は中筒２に対し上下方向へ移動可能となされている。また、中筒２の上端と外筒１の内面段差部との間に敷設されたリターンスプリング１３によって外筒１は上方へ付勢されており、通常外筒１は中筒２に対し上昇した状態にある。また、内筒４も調節ネジ８を介して外筒１と軸方向に一体化されているのでやはり中筒２に対し上昇した位置にある。
【００１３】
中筒２の窓孔３を開閉するように取付けられた蓋３は、その回転中心部となる軸支部３ｂの内面側にピニオンギヤー状の歯３ａが設けられている。また、内筒４は下端側面部にラックギヤー状の歯４ａが設けられおり、前記ピニオンギヤー状の歯３ａがラックギヤー状の歯４ａに噛合されている。
尚、実施例に於いて、蓋３の軸支部３ｂは貫通孔となされ、一方中筒２の取付け部には貫通孔を有した軸受け部が設けられている。蓋３は、軸支部３ｂと軸受け部を連通する孔にピンを挿通固定して軸支されている。（図示せず）
また、軸支の形態は実施例に限定されず設けることが可能である。
外筒１を押し下げて内筒４を下降させると、その内筒４の歯４ａが蓋３の歯３ａを下方に押して回動させるので、図２に示されるように蓋３が窓孔２ａの外側に回動して印面１０ａの遮蔽状態が解放されて捺印状態となる。
また、外筒１に対する外筒１の押し下げ操作を解除すると、リターンスプリング１３によって外筒１及び内筒４は自動的に上昇し、そのとき、内筒４の歯４ａが蓋３の歯３ａを上方へ押して回動させるので、再び図１に示すように蓋３が窓孔２ａに没入して印面１０ａを遮蔽状態とする。
尚、前記実施例に於いて、外筒及び内筒の上下動に連動させて蓋を中筒の側面に開口した窓孔から出没するように回動可能とする機構として、内筒の下端側面部にラックギヤー状の歯を設け、蓋にピニオンギヤー状の歯を設けて、相互の歯を噛合せることで行っているが、その回動手段は限定されないものである。
例えば、相互間にカムやリンクを設けて行う手段や、直接内筒の前端を蓋の内面側外周縁に当接させて行う手段などある。
【００１４】
尚、当該実施例は、蓋３の上面側にカバー５が止着されている。カバー５は、凸凹した蓋の上面を覆って欠点をカバーすると共に装飾性の向上や名入れを容易化する。また上述したように、蓋３を軸支部３ｂと軸受け部を連通する孔にピンを挿通して軸支する場合には、ピンを抜け止めするカバーになり、組立性が容易化できる。
【００１５】
朱肉皿６は、図３、図１３に示すように収納部６ｅが設けられており、そこにインクが充填された朱肉パッド７が保持されている。朱肉皿６は、蓋３の内面部に略垂直に取付けられ、蓋３が中筒２の窓孔２ａに没入している状態では印鑑１０の印面１０ａを遮蔽して朱肉パッド７を印面１０ａに略接触させている。
当該実施例の印鑑ホルダーは、上述したように外筒１を押し下げて内筒４を下降させると、内筒４の歯４ａが蓋３の歯３ａに当たって押すことにより、蓋３は中筒の窓孔２ａの外側へ回動することになるが、内筒４の歯４ａが蓋３の歯３ａに当たるまでの些少なギャップを適宜設けることで、蓋３が回動しない状態で印鑑１０が前記ギャップ分下降して印面１０ａが朱肉パッド７に食い込み、印面１０ａにインキが適正に転写される。蓋３が中筒の窓孔２ａの外側へ回動し、朱肉皿６が窓孔２ａから中筒２の外側へ抜け出ると共に、図７に示す蓋３後端の端部３ｃが内筒４の歯４ａ後方の平坦部に当接して、朱肉皿６は外筒１の側面に対し略平行な姿勢となり、印面１０ａを開放することになる。
また、更に外筒１を押し下げることで印面１０ａが中筒２の下端開口部から突出して捺印が可能となる。
【００１６】
図７乃至図９は蓋３の実施例を示している。
蓋３は、その回転中心部となる軸支部３ｂの内面側にピニオンギヤー状の歯３ａとその後方に平坦な端部３ｃが設けられている。実施例に於いては、蓋３の軸支部３ｂは貫通孔で示されている。
また、軸支部の前方に中筒の窓孔に挿入可能となる上板部３ｄと、その上板部３ｄの下方に嵌合凹部３ｆを設けて略Ｌ字形に突出した側板部３ｅが形成され、その側板部３ｅの後方端面に凸状の係止部３ｇが設けられている。また、嵌合凹部３ｆ前端には、その直角方向の略中央位置で段部３ｋが設けられている。
また、上板部３ｅ後部の下方に凸状の壁部３ｉが形成され、前記嵌合凹部３ｆと壁部３ｉとの内側に囲まれた凹状の嵌着部が形成される。
また、蓋３の前端にはカバー５を止着するための係止部３ｈが形成されている。
【００１７】
図１０乃至図１３は朱肉皿６の実施例を示している。
朱肉皿６は、上方に蓋３の嵌着部に嵌着する凸状の嵌着部となる上板部６ａと、その上板部６ａの下方に連結部６ｄを介して朱肉パッド７を保持するための収納部６ｅとが、一体に成されてなる。
尚、上板部６ａの前端部が突出して嵌合凸部６ｂとなり、上述した蓋３の嵌合凹部３ｆに嵌合する部位となり、上板部６ａの後端部６ｆが蓋３の壁部３ｉの前面に当接する部位となる。また、嵌合凸部６ｂの前面に図１１に示されるように段部６ｃが設けられている。また、前記連結部６ｄの前面に凹状の係止部６ｇが設けられている。
【００１８】
上述した実施例の蓋３には凹状の嵌着部が形成され、朱肉皿６には蓋３の嵌着部に嵌着する凸状の嵌着部が形成されてなるが、蓋３に凸状の嵌着部を形成し、朱肉皿６に凹状の嵌着部を形成するように成すことも可能である。
【００１９】
また、図３乃至図６は蓋３に朱肉皿６を嵌着した構造を示している。
朱肉皿６は、蓋３の凹状の嵌着部に略直角方向に凸状の嵌着部を差し込んで組付けられ、朱肉皿６の嵌合凸部６ｂが蓋３の嵌合凹部３ｆに嵌合し、朱肉皿６の後端部６ｆが蓋３の壁部３ｉの前面に当接した状態となる。
またそのとき、図４に示されるように蓋３の側板部３ｅに設けられた凸状の係止部３ｇが朱肉皿６の連結部６ｄに設けられた凹状の係止部６ｇに弾性的に係止し、蓋３の嵌合凹部３ｆに設けられた段部３ｋに朱肉皿６の嵌合凸部６ｂに設けられた段部６ｃを当接させた状態で正確に位置決めされて固定される。従って、蓋と朱肉皿の相互間に当接する段部が設けられた場合には、蓋部に対し朱肉皿を手加減しないで押し込んでも正確に位置決めできる。なお言うまでもなく、凸状の係止部３ｇと凹状の係止部６ｇは入れ替えて設けることもできる。
【００２０】
【作用】
上述した従来技術に於いて、蓋に朱肉皿が容易に着脱できるように係止固定されたものが、捺印後に蓋がコイルバネの復元力によって衝撃的に戻るため、その衝撃によって係止部位が変形を受けて係止が外れる問題が示されている。
また、従来の朱肉皿が蓋の回動に対してその遠心方向に係止固定されていた為に、係止が十分でない場合に前記衝撃によって朱肉皿が外れやすく周囲を汚損する問題があることが述べられている。朱肉皿が蓋の回動に対してその遠心方向に係止固定されている場合、蓋と朱肉皿の取付け部位の剛性がかなり高くないと、朱肉皿の交換が通常可能な状態で係止した場合には外れる可能性があることが確認された。
【００２１】
蓋３に対する朱肉皿６の着脱は、図２に示されるように蓋３が中筒２の窓孔２ａの外部に突出した状態で行われる。
上述したように、蓋３に回動方向に対して略直角方向に設けられた凹状の嵌着部に朱肉皿６の凸状の嵌着部を直角方向から差し込んで、朱肉皿６を蓋３に係止固定し、また朱肉皿６を直角方向に押し出して離脱する。この場合、相互間の係止状態がかなり緩い状態であっても蓋３の回動で遠心方向に朱肉皿がずれることも無い。また、蓋３が閉じた時の衝撃で、取付け部が変形を受けても、朱肉皿６が中筒２の内側に収容された状態にあるので、朱肉皿６が外れる方向に変位を受けても中筒２の内壁で押さえられ、外れる問題は起きない。
【００２２】
尚、図１に示されるように、外筒１の側面にはロック装置１１が設けられている。また、図２に示されるように、外筒１を下降させて蓋３が開いた状態にしてロック装置１１を操作することによって蓋３が開いた状態にロックできる。
この状態で朱肉皿の着脱を行えば、一層操作が容易となる。
尚、ロック装置は、本願発明の要旨ではないので詳細な説明は省略する。
【００２３】
また、上述したように朱肉皿６を蓋３から取り外して分離することができるので、朱肉皿６の朱肉パッド７へインクを補充しやすくなる。なお、補充するインクの適正量が判りにくく、過剰に補充してインクが溢れることにより手や衣服が汚れる心配があるが、これを防ぐためには朱肉皿６をカセット化することが望ましい。すなわち、朱肉皿６をカセット化して朱肉パッド７に予め所要量のインクを充填して置けば、朱肉皿６を交換するだけでよいので、手や衣服が汚れる心配がない。
【００２４】
【発明の効果】
本発明の印鑑ホルダーの構成及び作用は以上の如くであり、回動により開閉する蓋に朱肉皿を着脱可能に備えた印鑑ホルダーに於いて、蓋から朱肉皿を容易に外して、その朱肉皿に保持された朱肉にインクの補充を容易にし、かつ、蓋が衝撃的に戻っても蓋から朱肉皿が不用意に外れる問題が解消され、インクが飛散して手や書面や衣服などが汚れるのを防止できる。
【図面の簡単な説明】
【図１  】印鑑を搭載した印鑑ホルダー全体を示す縦断面図で、蓋が閉じた状態を示している。
【図２】蓋が開いた状態を示す印鑑ホルダー全体の縦断面図である。
【図３】蓋に朱肉皿を固定した状態の正面図で、朱肉皿は断面されている。
【図４】図３のＡ−Ａ矢視断面図である。
【図５】図３のＢ−Ｂ矢視断面図である。
【図６】図３のＣ矢視側面図である。
【図７】蓋の正面図である。
【図８】図７のＤ矢視下面図である。
【図９】図７のＥ矢視側面図である。
【図１０】朱肉皿の正面図である。
【図１１】図１０のＦ−Ｆ矢視上面図である。
【図１２】図１０のＧ矢視側面図である。
【図１３】図１０のＨ矢視側面図である。
【符号の説明】
１        外筒
１ａ    切欠部
２        中筒
２ａ    窓孔
３        蓋
３ａ    歯
３ｂ    軸支部
３ｃ    端部
３ｄ    上板部
３ｅ    側板部
３ｆ    嵌合凹部
３ｇ    係止部
３ｈ    係止部
３ｉ    壁部
３ｊ    凹部
３ｋ    段部
４        内筒
４ａ    歯
５        カバー
６        朱肉皿
６ａ    上板部
６ｂ    嵌合凸部
６ｃ    段部
６ｄ    連結部
６ｅ    収納部
６ｆ    後端部
６ｇ    係止部
７        朱肉パッド
８        調節ネジ
９        可動コマ
１０      印鑑
１０ａ  印面
１１      ロック装置
１２      カツラ
１３        リターンスプリング
【図１】
2004330540.tif 000003
【図２】
2004330540.tif 000004
【図３】
2004330540.tif 000005
【図４】
2004330540.tif 000006
【図５】
2004330540.tif 000007
【図６】
2004330540.tif 000008
【図７】
2004330540.tif 000009
【図８】
2004330540.tif 000010
【図９】
2004330540.tif 000011
【図１０】
2004330540.tif 000012
【図１１】
2004330540.tif 000013
【図１２】
2004330540.tif 000014
【図１３】
2004330540.tif 000015